(57)【要約】【課題】無線ＬＡＮで接続される無線端末と中継装置とを含む音声通話システムであって、ユーザによる無線端末の移動を最小限に抑えた音声による緊急連絡を可能にするシステムを提供する。【解決手段】無線端末１００の緊急発信要求部１０３から送信された緊急発信要求信号を中継装置３００が検出し、接続要求部３０５が無線端末１００へ接続要求信号を送信する。無線端末１００がこれを検出し、応答部１０７が中継装置３００へ接続許可信号を送信することにより、無線端末１００と中継装置３００との接続が確立する。また、中継装置３００の音声データ中継部３０４と緊急発信先装置５００との間でＳＩＰを用いて接続を確立する。無線端末１００と緊急発信先装置５００との間で送受信される音声データを中継装置３００が中継することで、無線端末１００からの音声通話が可能になる。【選択図】図１
2008060757.tif 000002
【特許請求の範囲】
【請求項１】
無線ＬＡＮで接続される無線端末と中継装置とを含む音声通話システムであって、
前記無線端末は、
ユーザから入力を受け付ける入力手段と、
前記入力手段が受け付けた入力が所定の緊急発信要求である場合に、前記緊急発信要求を前記中継装置に送信する緊急発信要求手段と、
前記中継装置から送信された接続要求を検出する接続要求検出手段と、
前記接続要求検出手段が検出した前記接続要求が所定の接続要求である場合に、前記中継装置に対し、接続を許可する所定の応答を送信する応答手段と、
前記応答手段が前記接続を許可する応答を送信した前記中継装置に対し、音声データを送信する音声データ送信手段とを備え、
前記中継装置は、
前記無線端末から送信された前記緊急発信要求を検出する緊急発信要求検出手段と、
前記緊急発信要求検出手段が検出した前記緊急発信要求が所定の緊急発信要求である場合に、前記無線端末に対し、前記所定の接続要求を送信する接続要求手段と、
前記無線端末から受信した前記音声データを、前記無線端末から前記接続を許可する所定の応答を受信した後に、所定の宛先に送信する音声データ中継手段とを備える
ことを特徴とする音声通話システム。
【請求項２】
前記音声データ中継手段は、ＶｏＩＰ（Voice over Internet Protocol）を使用して音声データを送信する
ことを特徴とする請求項１記載の音声通話システム。
【請求項３】
前記中継装置は、
前記無線端末の接続の可否を認証し、前記無線端末の接続を許可しない場合には、所定の接続拒否応答を送信する認証手段を備え、
前記無線端末は、
認証を受ける通信方式と認証を受けない通信方式とを選択でき、認証を受ける通信方式を選択して、前記中継装置との通信を試みるものであって、
前記緊急発信要求手段は、前記入力手段からの入力が所定の緊急発信要求であった場合に、認証を受ける通信方式を選択させ、前記中継装置への接続を試みさせ、前記中継装置から前記接続拒否応答を受信したときに、認証を受けない通信方式を選択させ、前記所定の緊急発信要求を送信する
ことを特徴とする請求項１記載の音声通話システム。
【請求項４】
前記中継装置は、
前記無線端末から前記音声データを受信した場合に、前記中継装置の電波の届く範囲に存在する全ての無線端末に対して、前記所定の緊急発信要求があった旨を送信するブロードキャスト送信手段を備える
ことを特徴とする請求項１記載の音声通話システム。
【請求項５】
前記音声データ中継手段は更に、
前記所定の宛先から受信した音声データを、前記無線端末に送信するものであって、
前記無線端末は更に、
前記中継装置から送信された前記音声データを受信する受信手段と、
前記受信手段が受信した前記音声データを音声として出力する出力手段を備える
ことを特徴とする請求項１記載の音声通話システム。
【請求項６】
前記入力手段は、宛先を指定する情報を前記入力として受け付けるものであって、
前記無線端末は、
前記入力手段によって入力された前記宛先を指定する情報を前記中継装置に送信する宛先送信手段を備え、
前記中継装置は、
前記無線端末が送信した前記宛先を指定する情報を受信する宛先受信手段と、
前記宛先受信手段が受信した前記宛先を指定する情報に基づいて宛先を特定する宛先特定手段とを備え、
前記宛先特定手段が特定した前記宛先を前記所定の宛先として音声データを送信する
ことを特徴とする請求項１記載の音声通話システム。
【請求項７】
前記無線端末は、
前記無線端末を識別するための情報を前記中継装置に送信する識別情報送信手段を備え、
前記中継装置は、
前記無線端末から受信した前記無線端末を識別するための情報を、前記無線端末から前記接続を許可する所定の応答を受信した後に、前記所定の宛先に送信する識別情報中継手段を備える
ことを特徴とする請求項１記載の音声通話システム。
【請求項８】
前記無線端末が、前記所定の緊急発信要求を送信した後の所定期間内に、
前記接続要求検出手段が、前記中継装置から送信された前記所定の接続要求を検出しない場合に、前記無線端末のユーザが認識できるようにその旨を出力する
ことを特徴とする請求項１記載の音声通話システム。
【請求項９】
前記中継装置が複数存在する場合において、
前記無線端末の前記応答手段は、最初に検出した前記所定の接続要求の送信元である中継装置に対してのみ前記接続を許可する応答を送信する
ことを特徴とする請求項１記載の音声通話システム。
【請求項１０】
ＶｏＩＰを使用して所定の宛先に音声データ送信する中継装置と無線ＬＡＮで接続される無線端末であって、
前記無線端末は、
前記無線端末のユーザから入力を受け付ける入力手段と、
前記入力手段が受け付けた入力が所定の緊急発信要求である場合に、前記緊急発信要求を前記中継装置に送信する緊急発信要求手段と、
前記中継装置から送信された接続要求を検出する接続要求検出手段と、
前記接続要求検出手段が検出した前記接続要求が所定の接続要求である場合に、前記中継装置に対し、接続を許可する所定の応答を送信する応答手段と、
前記応答手段が前記接続を許可する応答を送信した前記中継装置に対し、ＶｏＩＰプロトコルを使用して所定の宛先に送信させるために音声データを送信する音声データ送信手段とを備える
ことを特徴とする無線端末。
【請求項１１】
無線端末と無線ＬＡＮで接続されるＶｏＩＰを使用して音声データを送信する中継装置であって、
前記中継装置は、
前記無線端末から送信された緊急発信要求を検出する緊急発信要求検出手段と、
前記緊急発信要求検出手段が検出した前記緊急発信要求が所定の緊急発信要求である場合に、前記無線端末に対し、所定の接続要求を送信する接続要求手段と、
前記無線端末から受信した音声データを、前記無線端末から接続を許可する所定の応答を受信した後に、所定の宛先にＶｏＩＰプロトコルを使用して送信する音声データ中継手段とを備える
ことを特徴とする中継装置。
【発明の詳細な説明】
【技術分野】
【０００１】
本発明は、無線ＬＡＮを利用した音声通話システムに関し、特に、無線端末から緊急発信を行う技術に関する。
【背景技術】
【０００２】
近年、公衆無線ＬＡＮを利用したインターネット接続サービス（以下、「接続サービス」という）において、一般的にアクセスポイントと呼ばれる中継装置の設置が進み、外出先でも無線端末から中継装置を経由して、インターネットに接続することができるようになっている。
ここで、無線端末からインターネットに接続するためには、まず、無線端末は、中継装置に接続する必要がある。この中継装置は、通常、接続サービスを提供する通信事業者により設置され、当該接続サービス加入者のみに、接続が認められる。
【０００３】
一般的に、ユーザが、接続サービスに加入すると、無線ＬＡＮの規格であるＩＥＥＥ  ８０２．１１ｂで規定されている無線ＬＡＮネットワークの識別名となるＳＳＩＤ（Service Set Identifier）、暗号化鍵、ユーザ識別情報、パスワード等が通信事業者から付与される。このＳＳＩＤと暗号化鍵を無線端末に設定した上で、中継装置への接続を試み、中継装置からの要求に応じて、ユーザ識別情報、パスワードを入力すると、接続サービス加入者か否かの確認がなされ、接続サービス加入者である場合に、中継装置への接続が認められ、インターネットへの接続が可能となる。
【０００４】
よって、他の通信事業者が設置した中継装置が近くに存在しても、当該ユーザは、無線端末からインターネットに接続できず、インターネットに接続するためには、加入している接続サービスの中継装置（以下、「加入中継装置」という）の近くまで無線端末を移動させる必要がある。
なお、外出先では携帯電話網経由で、宅内ではＢｌｕｅｔｏｏｔｈ網経由でインターネットに接続できる携帯電話において、宅内のＢｌｕｅｔｏｏｔｈ網のゲートウェイ装置が、来訪者の携帯電話等の予め接続を許諾されていない端末についても、所定の課金、ログ取得といった処理を行った上で接続を許可する方法が知られている（特許文献１参照）。
【特許文献１】特開２００２−１１１８７０号公報
【発明の開示】
【発明が解決しようとする課題】
【０００５】
ユーザが、加入中継装置の近くに無線端末を移動させた上で、インターネットに接続しなければならないことは、時間的、場所的な制約を伴う場合が多く、緊急性の高い通信を行う上で問題となる場合がある。例えば、緊急性の高い通信には、警察、消防・救急等との連絡が挙げられる。警察、消防・救急等との連絡が行われる状況では、人の生命及び身体に危険が迫っている場合も多いため、迅速な連絡が求められ、また、ユーザが加入中継装置の近くに無線端末を移動させられない場合もある。
【０００６】
また、警察、消防・救急等との連絡には、電話等の音声による連絡のほか、メールによる連絡も考えられる。しかし、警察、消防・救急等は、迅速に連絡者の状況を把握し、適切な指示を出すことが必要であるため、リアルタイム性に優れている音声による連絡のほうが、適していると考えられる。
そこで、本発明はかかる問題に鑑みてなされたものであり、無線ＬＡＮで接続される無線端末と中継装置とを含む音声通話システムであって、ユーザによる無線端末の移動を最小限に抑えた音声による緊急連絡を可能にするシステムを提供することを目的とする。
【課題を解決するための手段】
【０００７】
上記課題を解決するために本発明にかかる音声通話システムは、無線ＬＡＮで接続される無線端末と中継装置とを含む音声通話システムであって、前記無線端末は、ユーザから入力を受け付ける入力手段と、前記入力手段が受け付けた入力が所定の緊急発信要求である場合に、前記緊急発信要求を前記中継装置に送信する緊急発信要求手段と、前記中継装置から送信された接続要求を検出する接続要求検出手段と、前記接続要求検出手段が検出した前記接続要求が所定の接続要求である場合に、前記中継装置に対し、接続を許可する所定の応答を送信する応答手段と、前記応答手段が前記接続を許可する応答を送信した前記中継装置に対し、音声データを送信する音声データ送信手段とを備え、前記中継装置は、前記無線端末から送信された前記緊急発信要求を検出する緊急発信要求検出手段と、前記緊急発信要求検出手段が検出した前記緊急発信要求が所定の緊急発信要求である場合に、前記無線端末に対し、前記所定の接続要求を送信する接続要求手段と、前記無線端末から受信した前記音声データを、前記無線端末から前記接続を許可する所定の応答を受信した後に、所定の宛先に送信する音声データ中継手段とを備えることを特徴とすることを特徴とする。
【発明の効果】
【０００８】
上述の構成を備える本発明にかかる音声通話システムは、中継装置が、無線端末から送信された所定の緊急発信要求を検出すると、所定の接続要求を送信し、無線端末が、中継装置から送信された所定の接続要求を検出すると、接続を許可する所定の応答を送信し、中継装置が無線端末から送信された接続を許可する所定の応答を検出すると、中継装置と無線端末との間で接続が確立されるため、事前に接続サービスに加入していないユーザの無線端末であっても、中継装置との接続が可能になる。即ち、所定の宛先が警察、消防等であった場合に、中継装置は、無線端末から受信した音声データを中継して警察、消防・救急等の緊急発信先に送信するため、無線端末を加入中継装置の近くまで移動させることなく、無線端末と、警察、消防・救急等との通話が可能となる。
【０００９】
なお、無線端末からの緊急発信要求を複数の中継装置が受信した場合においても、接続を許可する応答を受けた中継装置だけが無線端末からの音声データを緊急発信先に転送するため、緊急発信先装置への不用意な通信の集中等が生じることは防止されている。
ここで、前記音声データ中継手段は、ＶｏＩＰ（Voice over Internet Protocol）を使用して音声データを送信することとしてもよい。
【００１０】
また、前記中継装置は、前記無線端末の接続の可否を認証し、前記無線端末の接続を許可しない場合には、所定の接続拒否応答を送信する認証手段を備え、前記無線端末は、認証を受ける通信方式と認証を受けない通信方式とを選択でき、認証を受ける通信方式を選択して、前記中継装置との通信を試みるものであって、前記緊急発信要求手段は、前記入力手段からの入力が所定の緊急発信要求であった場合に、認証を受ける通信方式を選択させ、前記中継装置への接続を試みさせ、前記中継装置から前記接続拒否応答を受信したときに、認証を受けない通信方式を選択させ、前記所定の緊急発信要求を送信することとしてもよい。
【００１１】
認証とは、無線端末が接続サービス加入者の無線端末か否かを、中継装置が予め登録された情報と照合することにより、判断することをいう。無線端末は、緊急発信要求を送信する際に、まず、認証を受ける通信方式により中継装置に接続を試み、即ち、例えば、ユーザ識別情報、パスワード等を送信して接続を試みる。当該ユーザ識別情報、パスワード等が登録されたものと一致しない場合、無線端末は、認証を受けない通信方式により、中継装置と接続しなおして緊急発信要求を行うため、中継装置は、緊急発信を行った無線端末が、加入者の無線端末かを判断することが可能になる。
【００１２】
また、前記中継装置は、前記無線端末から前記音声データを受信した場合に、前記中継装置の電波の届く範囲に存在する全ての無線端末に対して、前記所定の緊急発信要求があった旨を送信するブロードキャスト送信手段を備えることとしてもよい。
これにより、緊急発信要求を送信した無線端末の近くに存在する無線端末のユーザは、緊急発信要求があった旨の通知により、近傍で発生した事故等の存在を知ることが可能となるので、救助作業への参加や、自らの安全の確保が可能となる。
【００１３】
また、前記音声データ中継手段は更に、前記所定の宛先から受信した音声データを、前記無線端末に送信するものであって、前記無線端末は更に、前記中継装置から送信された前記音声データを受信する受信手段と、前記受信手段が受信した前記音声データを音声として出力する出力手段を備えることとしてもよい。
これにより、中継装置は、緊急連絡先からの音声データを受信し、無線端末に送信することができるので、無線端末は緊急発信先からの音声データを受信し、ユーザはスピーカ等から音声データを聞くことが可能になる。
【００１４】
また、前記入力手段は、宛先を指定する情報を前記入力として受け付けるものであって、前記無線端末は、前記入力手段によって入力された前記宛先を指定する情報を前記中継装置に送信する宛先送信手段を備え、前記中継装置は、前記無線端末が送信した前記宛先を指定する情報を受信する宛先受信手段と、前記宛先受信手段が受信した前記宛先を指定する情報に基づいて宛先を特定する宛先特定手段とを備え、前記宛先特定手段が特定した前記宛先を前記所定の宛先として音声データを送信することとしてもよい。
これにより、警察、消防・救急等、複数の緊急発信先のうちから、ユーザによって指定された宛先を示す情報を中継装置に送ることができ、中継装置は宛先を示す情報から電話番号を特定して、特定された宛先に無線端末から受信した音声データを送信するので、ユーザは、自らが指定した緊急発信先との通話が可能になる。
【００１５】
また、前記無線端末は、前記無線端末を識別するための情報を前記中継装置に送信する識別情報送信手段を備え、前記中継装置は、前記無線端末から受信した前記無線端末を識別するための情報を、前記無線端末から前記接続を許可する所定の応答を受信した後に、前記所定の宛先に送信する識別情報中継手段を備えることとしてもよい。
これにより、音声データの送受信中に通信が切断されてしまった場合でも、無線端末の識別情報として無線端末の電話番号を受信していれば、緊急発信先から無線端末に対し、通話を試みることができる。また、識別情報を送付するため、緊急発信を行った無線端末やユーザを特定できる可能性があり、いたずら目的での緊急発信要求の抑制が可能となる。
【００１６】
また、前記無線端末が、前記所定の緊急発信要求を送信した後の所定期間内に、前記接続要求検出手段が、前記中継装置から送信された前記所定の接続要求を検出しない場合に、前記無線端末のユーザが認識できるようにその旨を出力することとしてもよい。
これにより、無線端末から送信した緊急発信要求が届く範囲に中継装置が存在しない等の理由により、無線端末が、中継装置からの接続要求を検出できないときは、接続要求を検出できなかった旨を出力する。そのため、ユーザは、場所の移動や、時間を空けて再度緊急発信要求をする等の措置をとることが可能であり、無駄な無線端末のバッテリーの消耗を防ぐことが可能となる。
【００１７】
また、前記中継装置が複数存在する場合において、前記無線端末の前記応答手段は、最初に検出した前記所定の接続要求の送信元である中継装置に対してのみ前記接続を許可する応答を送信することとしてもよい。
これにより、無線端末が複数の接続要求を受信した場合でも、最初に受信した接続要求を送信した中継装置だけに接続を許可する応答を送信するため、１つの中継装置だけと接続を確立することが可能となる。
【発明を実施するための最良の形態】
【００１８】
以下、本発明を実施するための最良の形態を、図面を参照しながら説明する。
＜実施形態１＞
＜システムの構成＞
以下、実施形態１に係る音声通話システムの構成について説明する。
図１は、実施形態１に係る音声通話システムの構成図である。
【００１９】
実施形態１に係る音声通話システムは、同図に示すとおり、無線端末１００、中継装置３００、４００、緊急発信先装置５００、ＩＰ網６００から構成される。
無線端末１００は、無線ＬＡＮ接続機能を有する携帯電話機であり、緊急発信を行うユーザが使用するものである。詳細は後述するが、無線端末１００の操作部１０１に備えられた緊急発信ボタンのうちの１つがユーザにより押下されると、中継装置３００又は４００との接続が確立され、音声データを接続が確立された中継装置３００又は４００経由で緊急連絡先装置５００に送信することができる。
【００２０】
中継装置３００、４００は、接続サービスを提供する通信事業者が電柱やホテル、飲食店などに設置するものであって、一般的には、アクセスポイントと呼ばれるものである。システムの運用段階においては、近接する場所に複数の中継装置が設置される場合もある。中継装置３００、４００は、このような中継装置の１つであり、同一の構成を有するものである。以下の中継装置に関する説明では、中継装置３００を例に説明する。
【００２１】
中継装置３００は、詳細は後述するが、無線端末１００と接続を確立し、また、ＶｏＩＰを使用して、緊急発信先装置５００と接続を確立し、無線端末１００と緊急発信先装置５００の間で送受信される音声データの中継を行う。
ＶｏＩＰ技術とは、デジタル符号化した音声信号を一定の時間ごとに区切ってパケット化してＩＰネットワーク経由で送受信する技術である。ＶｏＩＰは通信相手との接続制御を行うシグナリングプロトコルと、音声データの転送プロトコルとから構成される。シグナリングプロトコルには、ＳＩＰ（Session Initiation Protocol）や、Ｈ．３２３、ＭＧＣＰ(Media Gateway Control Protocol)などがあり、音声データの転送プロトコルには、ＲＴＰ（Real-time Transport Protocol）、ＲＴＣＰ（RTP Control Protocol）などがある。実施形態１では、シグナリングプロトコルとしてＳＩＰを、音声データの転送プロトコルとしてＲＴＰを使用している。
【００２２】
緊急発信先装置５００は、電話機であり、警察５０１、救急・消防５０２等毎に設置される。緊急発信先装置５００は、中継装置３００、４００と、インターネットであるＩＰ網６００を介して接続される。
＜無線端末１００の構成＞
以下、無線端末１００の構成について説明する。
【００２３】
無線端末１００は、図１に示すように、操作部１０１、識別情報記憶部１０２、緊急発信要求部１０３、通信部１０４、接続要求検出部１０５、表示部１０６、応答部１０７、マイク１０８、音声データ送信部１０９、スピーカ１１０から構成される。なお、下記、緊急発信要求部１０３、接続要求検出部１０５、応答部１０７、音声データ送信部１０９の各機能は、メモリに記憶されているプログラムをＣＰＵ（Central Processing Unit）に実行させることにより実現される。プログラム間でのデータの授受を本実施形態では、信号の授受として表現している。
【００２４】
操作部１０１は、いわゆるテンキー等のキー群やボタン群を含むものであり、ユーザが所定の操作を行う場合に使用される。ボタン群の中には、警察５０１、消防・救急５０２等の緊急発信先毎に設けられた緊急発信ボタン及び切断ボタンを有する。ユーザによりこれらのボタンが押下されると、それぞれのボタンに対応した信号を生成し、緊急発信要求部１０３に伝達する。緊急発信ボタンに対応する信号には、緊急発信先の種別を示す宛先指定情報が含まれる。
【００２５】
識別情報記憶部１０２は、無線端末１００の識別情報である携帯電話番号、ＩＰアドレス、ＭＡＣアドレスを記憶する不揮発性のメモリである。携帯電話番号は通信事業者等がこれを設定した際に、ＩＰアドレスはこれを取得した際に、ＭＡＣアドレスは携帯電話機メーカーがこれを設定した際に、識別情報記憶部１０２に記憶される。
緊急発信要求部１０３は、操作部１０１からそれぞれのボタンに対応した信号が伝達された場合に、当該ボタンに対応する要求を行うための信号を生成し、送信する機能を有する。操作部１０１から緊急発信ボタンに対応した信号が伝達された場合に、当該信号と、識別情報記憶部１０２から読み出した無線端末１００の識別情報から緊急発信要求信号を生成して、１秒間に数回程度、ブロードキャストする。切断ボタンに対応する信号が伝達された場合に、中継装置３００との回線の切断を行うためのトリガーとなる切断要求信号を生成し、送信する。
【００２６】
通信部１０４は、アドホックモードで稼動し、中継装置３００との間でデータの送受信を行い、送受信に際し、電気信号と無線ＬＡＮ用の電波信号との相互変換を行う回路である。
一般的に、アドホックモードとは、アクセスポイントを介さずに機器同士が直接通信を行なうモードをいう。一方、アクセスポイントを介して通信を行うモードをインフラストラクチャーモードという。これらは、ＩＥＥＥ  ８０２．１１ｂ規格に準拠した無線ＬＡＮの通信モードである。
【００２７】
本実施形態では、通信部１０４がアドホックモードで稼動している場合、中継装置３００は、接続を試みる無線端末１００が、接続サービス加入者の無線端末かの判断（以下、「加入者認証」という）を行うことなく、無線端末１００に中継装置３００への接続を認める。
接続要求検出部１０５は、中継装置３００から受信した後述する接続要求信号、切断要求信号に対応する応答を指示する信号を応答部１０７に伝達する機能を有する。なお、緊急発信要求部１０３が緊急発信要求信号を送信してから、所定時間内に接続要求信号を検出できない場合には、その旨の未検出信号を表示部１０６に伝達する。
【００２８】
なお、この所定時間は、ユーザが設定可能であり、実施形態１では、最初に緊急発信要求が送信されてから１分に設定されている。
表示部１０６は、液晶ディスプレイ（ＬＣＤ：Liquid Crystal Display）を含み、接続要求検出部１０５から未検出信号が伝達された場合に、中継装置からの接続要求信号が検出できない旨の表示を行う。
【００２９】
応答部１０７は、接続要求検出部１０５から伝達された信号に従い、それぞれの信号に対する応答信号を中継装置３００に対して送信する機能を有する。
音声データ送信部１０９は、中継装置３００と緊急発信先装置５００との接続が完了した後に、マイク１０８から入力された音声データを中継装置３００に送信する機能を有する。
【００３０】
なお、マイク１０８及びスピーカ１１０は、従来のものと同様であるので、説明は省略する。
＜中継装置３００の構成＞
次に、中継装置３００の構成について説明する。
中継装置３００は、図１に示すように、通信部３０１、緊急発信要求検出部３０２、宛先特定部３０３、音声データ中継部３０４、接続要求部３０５から構成される。なお、下記、緊急発信要求検出部３０２、宛先特定部３０３、音声データ中継部３０４、接続要求部３０５の各機能は、メモリに記憶されているプログラムをＣＰＵに実行させることにより実現される。プログラム間でのデータの授受を本実施形態では、信号の授受として表現している。
【００３１】
通信部３０１は、アドホックモードで稼動し、無線端末１００との間でデータの送受信を行い、送受信に際し、電気信号と無線ＬＡＮ用の電波信号との相互変換を行う回路である。
本実施形態では、通信部３０１がアドホックモードで稼動する場合、中継装置３００は、加入者認証を行わないように設定されており、無線端末１００は、加入者認証を受けずに中継装置３００と接続することができる。
【００３２】
緊急発信要求検出部３０２は、無線端末１００から送信された緊急発信要求信号を受信し、緊急発信要求信号に含まれる宛先指定情報を宛先特定部３０３に、無線端末１００の識別情報を音声データ中継部３０４に、緊急発信要求信号を受信した旨の緊急発信要求受信信号を接続要求部３０５に伝達する機能を有する。
宛先特定部３０３は、図３に示すデータを記憶する不揮発性のメモリを有し、緊急発信要求検出部３０２から伝達された宛先指定情報に基づいて、緊急発信先装置５００の電話番号を特定し、当該電話番号を音声データ中継部３０４に伝達する機能を有する。
【００３３】
音声データ中継部３０４は、宛先特定部３０３から伝達された緊急発信先装置５００の電話番号を用いて、緊急発信先装置５００とのＳＩＰを使用した回線の接続、切断を行う機能を有する。また、緊急発信先装置５００から回線を切断する場合に、無線端末１００に回線を切断する旨の切断要求信号を送信して、無線端末１００との回線を切断する機能を有する。
【００３４】
また、データを一時的に記憶するバッファを有し、無線端末１００と緊急発信先装置５００との間で送受信される音声データを中継する機能を有する。音声データ中継部３０４と緊急発信先装置５００の間の音声データの送受信は、ＲＴＰを使用して行う。
また、音声データ中継部３０４は、緊急発信要求検出部３０２から伝達された無線端末１００の識別情報である携帯電話番号、ＩＰアドレス、ＭＡＣアドレスを、緊急発信先装置５００に送信する機能を有する。
【００３５】
接続要求部３０５は、緊急発信要求検出部３０２から伝達された信号に従って、無線端末１００に接続の許可を求める接続要求信号を送信する機能を有する。
＜データ＞
以下、上記、音声通話システムで使用するデータについて説明する。
図２は、無線端末１００の緊急発信要求部１０３が生成して送信する緊急発信要求信号のフレーム構造を示す図である。緊急発信要求信号７００は、ビーコン信号であり、そのフレーム構造は、無線ＬＡＮの規格であるＩＥＥＥ  ８０２．１１ｂ規格に準拠している。
【００３６】
緊急発信要求信号７００には、ＩＥＥＥ  ８０２．１１ｂ規格上、ユーザが任意にデータを設定できるベンダー領域７０１が含まれ、ベンダー領域７０１には、さらに緊急発信先装置５００の宛先指定情報が設定される領域７０２、無線端末１００の携帯電話番号が設定される領域７０３、ＩＰアドレスが設定される領域７０４、ＭＡＣアドレスが設定される領域７０５が含まれる。
【００３７】
領域７０２に設定される宛先指定情報は、緊急発信先５００の種別を示すビット列であり、警察５０１、消防・救急５０２等緊急発信先装置５００毎に異なるビット列が割り当てられている。無線端末１００の操作部１０１に警察５０１、消防・救急５０２等毎に設けられた緊急発信ボタンを押下すると、押下された緊急発信ボタンに対応するビット列が生成され、領域７０２に当該ビット列が設定される。
【００３８】
領域７０３〜７０５に設定される無線端末１００の識別情報である携帯電話番号、ＩＰアドレス、ＭＡＣアドレスは、識別情報記憶部１０２に記憶されているものである。無線端末１００の識別情報は、緊急発信先装置５００に送信され、通信の途中で、回線の切断がされたとき等に、緊急発信先装置５００から無線端末１００に通信を試みる場合や、無線端末１００のユーザを特定する必要が生じた場合に使用される。
【００３９】
なお、ベンダー領域以外の各領域については、ＩＥＥＥ  ８０２．１１ｂ規格に準拠したものであるので、説明は省略する。
図３は、緊急発信先装置５００の宛先指定情報と電話番号の対応を示す図である。同図に示すように、電話番号対応表８００は、警察５０１、消防・救急５０２等の緊急連絡先装置５００毎に宛先指定情報８０１、電話番号８０２を対応付けて構成されている。
【００４０】
宛先指定情報８０１は、緊急発信先５００の種別を示すビット列であり、図２に示す領域７０２に設定される宛先指定情報と対応する。実施形態１では、宛先指定情報として、警察５０１、消防・救急５０２にそれぞれ異なるビット列を割り振るため、１ビットで表されている。
電話番号８０２は、警察５０１、消防・救急５０２等緊急連絡先装置５００に割り当てられている電話番号である。
【００４１】
図３は、例えば、警察５０１を宛先として指定する場合、宛先指定情報は「０」であり、その電話番号は「１１０」であることを示している。
＜動作＞
以下、上記構成を備え、上述したデータを取り扱う音声通話システムにおける緊急発信に関する動作について図４を用いて説明する。
＜無線端末１００の動作＞
まずは、無線端末１００の動作を説明する。
【００４２】
無線端末１００の操作部１０１は、ユーザにより、警察５０１、消防・救急５０２等の緊急発信先毎に設けられた緊急発信ボタンのうちの一つが押下されると、緊急発信ボタンに対応した宛先指定情報を含む緊急発信指示信号を緊急発信要求部１０３に伝達する。緊急発信要求部１０３は、識別情報記憶部１０２に記憶された無線端末１００が有する識別情報である電話番号、ＩＰアドレス、ＭＡＣアドレスと緊急発信指示信号から生成した緊急発信要求信号を、通信部１０４を通じて、ブロードキャストする（ステップＳ１１）。
【００４３】
接続要求検出部１０５は、通信部１０４を通じて、中継装置３００から接続要求信号が送信されると、これを検出する（ステップＳ１２）。なお、図４には図示していないが、緊急発信要求部１０３が最初に緊急発信要求信号を送信してから所定時間以内に、接続要求検出部１０５が接続要求信号を検出できない場合、接続要求検出部１０５は、表示部１０６に未検出信号を伝達し、表示部１０６は、図６の液晶ディスプレイ１００１に示すように、中継装置からの接続要求信号が検出できない旨を表示する。
【００４４】
中継装置３００から送信された接続要求信号を検出すると、接続要求検出部１０５は、接続要求信号に対する応答を指示する旨の接続要求受信信号を応答部１０７に伝達する。応答部１０７は、中継装置３００に対する無線端末１００への接続を許可する旨の接続許可信号を、通信部１０４を通じて、中継装置３００に送信する（ステップＳ１３）。なお、図４には図示していないが、中継装置３００から送信された接続要求信号を検出した後に、中継装置４００から送信された接続要求信号を検出した場合には、接続要求検出部１０５は応答部１０７に接続要求受信信号を送付せず、無視する。
【００４５】
音声データ送信部１０９は、中継装置３００から緊急発信先装置５００への接続が完了した旨の接続完了信号が送信されると、通信部１０４を通じて、これを検出する（ステップＳ１４）。
音声データ送信部１０９は、マイク１０８からユーザにより入力された音声データを、通信部１０４を経由して、中継装置３００に送信する。また、無線端末１００の通信部１０４は、中継装置３００から送信された緊急発信先装置５００の音声データを受信すると、スピーカ１１０に伝達する。以上の音声データの送受信を回線が切断されるまで行う（ステップＳ１５）。
【００４６】
無線端末３００から回線を切断する場合、操作部１０１は、ユーザにより切断ボタンが押下されると、切断ボタンに対応した中継装置との接続を解除する旨の切断要求指示信号を緊急発信要求部１０３に伝達する。緊急発信要求部１０３は、切断要求指示信号が伝達されると、通信部１０４を通じて、中継装置３００に無線端末１００との回線切断を要求する旨の切断要求信号を生成し、送信する。通信部１０４が、中継装置３００から回線の切断を許可する旨の切断許可信号を受信すると無線端末１００と中継装置３００の間の回線が切断される（ステップＳ１６）。
【００４７】
一方、緊急発信先装置５００から回線が切断される場合、中継装置３００から送信された回線の切断を要求する旨の切断要求信号を、通信部１０４を通じて、接続要求検出部１０５が受信すると、応答部１０７に切断要求信号に対する応答を指示する旨の切断要求受信信号を伝達する。応答部１０７は、通信部１０４を通じて、無線端末１００との回線の切断を許可する旨の切断許可信号を中継装置３００に送信し、無線端末１００と中継装置３００の間の回線が切断される（ステップＳ１６）。
＜中継装置３００の動作＞
次に、中継装置３００の動作を説明する。
【００４８】
緊急発信要求検出部３０２は、無線端末１００から緊急発信要求信号が送信されると、通信部３０１を通じて、これを検出する（ステップＳ２１）。
緊急発信要求検出部３０２は、宛先指定情報を宛先特定部３０３に伝達し、無線端末１００の識別情報を音声データ中継部３０４に伝達し、緊急発信要求受信信号を接続要求部３０５に伝達する。宛先特定部３０３は、宛先指定情報に対応する電話番号を特定し、音声データ中継部３０４に電話番号を伝達する。接続要求部３０５は、無線端末１００に対する接続要求信号を、通信部３０１を通じて、無線端末１００に送信する（ステップＳ２２）。
【００４９】
音声データ中継部３０４は、無線端末１００から接続許可信号が送信されると、通信部３０１を通じて、これを検出する（ステップＳ２３）。なお、図４には図示していないが、接続要求部３０５が、無線端末１００に対する接続要求信号を送信してから、所定時間内に接続許可信号を検出できない場合、音声データ中継部３０４は、処理を終了する。例えば、無線端末１００により、中継装置３００の接続要求信号が検出された後に、中継装置４００の接続要求信号が検出された場合には、中継装置４００の接続要求信号は無視され、中継装置４００は、接続許可信号を検出できないため、処理を終了する。
【００５０】
音声データ中継部３０４は、宛先特定部３０３で特定された電話番号を宛先する緊急発信先装置５００にセッションを開始する旨のＩＮＶＩＴＥ信号を送信する（ステップＳ２４）。音声データ中継部３０４は、緊急発信先装置５００から送信されたＩＮＶＩＴＥ信号が、受信され処理中であることを示すＴｒｙｉｎｇ信号及びＲｉｎｇｉｎｇ信号を受信する。
【００５１】
音声データ中継部３０４は、緊急発信先装置５００からＩＮＶＩＴＥ信号が正常に処理された旨のＯＫ信号が送信されると、これを検出し（ステップＳ２５）、緊急発信先装置５００にセッションが確立した旨のＡＣＫ信号を送信する。これにより、中継装置３００と緊急発信先装置５００との間の接続が確立される。
音声データ中継部３０４は、通信部３０１を通じて、無線端末１００に接続完了信号を送信する（ステップＳ２６）。
【００５２】
音声データ中継部３０４は、無線端末１００の識別情報を緊急発信先装置５００に送信し、また、通信部３０１を通じて、無線端末１００から音声データを受信すると、音声データを、ＲＴＰを使用して緊急発信先装置５００に送信する。また、音声データ中継部３０４は、緊急発信先装置５００から音声データを受信すると、通信部３０１を通じて、無線端末１００に送信する。以上の音声データの中継を回線が切断されるまで行う（ステップＳ２７）。
【００５３】
無線端末１００から回線を切断される場合、音声データ中継部３０４は、通信部３０１を通じて、無線端末１００から切断要求信号を受信すると、緊急発信先装置５００に、セッションを終了する旨のＢＹＥ信号を送信する。緊急発信先装置５００からＢＹＥ信号が正常に処理された旨のＯＫ信号を受信する。これにより、音声データ中継部３０４と緊急発信先装置５００との間の回線が切断される。音声データ中継部３０４は、通信部３０１を通じて、無線端末１００に切断許可信号を送信する。これにより、無線端末１００と中継装置３００との間の回線が切断される（ステップＳ２８）。
【００５４】
一方、緊急発信先装置５００から回線を切断される場合、音声データ中継部３０４は、緊急発信先装置５００からＢＹＥ信号を受信すると、通信部３０１を通じて、無線端末１００に切断要求信号を送信し、無線端末１００から切断許可信号を受信する。これにより、無線端末１００と中継装置３００との間の回線が切断される。緊急発信先装置５００にＢＹＥ信号が正常に処理された旨のＯＫ信号を送信する。これにより、中継装置３００と緊急発信先装置５００との回線が切断される（ステップＳ２８）。
＜緊急発信先装置５００の動作＞
緊急発信先装置５００は、中継装置３００からＩＮＶＩＴＥ信号が送信されると、これを検出し（ステップＳ３１）、Ｔｒｙｉｎｇ信号及びＲｉｎｇｉｎｇ信号を送信する。
【００５５】
緊急発信先装置５００は、中継装置３００からのＩＮＶＩＴＥ信号に対し、ＯＫ信号を送信し（ステップＳ３２）、中継装置３００からＡＣＫ信号を受信する。これにより、中継装置３００と緊急発信先装置５００の間の接続が確立される。
緊急発信先装置５００は、中継装置３００から無線端末１００の識別情報及び音声データを受信する。また、緊急発信先装置５００の音声データを中継装置３００に送信する。以上の音声データの送受信を回線が切断されるまで行う（ステップＳ３３）。
【００５６】
緊急発信先装置５００から回線を切断する場合、緊急発信先装置５００は、中継装置３００にＢＹＥ信号を送信する。中継装置３００からＯＫ信号を受信すると、中継装置３００と緊急発信先装置５００との回線が切断される（ステップＳ３４）。
一方、無線端末１００から回線が切断される場合、緊急発信先装置５００は、中継装置３００からＢＹＥ信号を受信すると、ＯＫ信号を送信する。これにより、中継装置３００と緊急発信先装置５００との間の回線が切断される（ステップＳ３４）。
＜接続シーケンス＞
次に、無線端末１００、中継装置３００、緊急発信先装置５００の間の接続シーケンスについて、図５を用いて説明する。無線端末１００と中継装置３００との間の接続は本発明で開示している独自のプロトコルに従って行われる。中継装置３００と緊急発信先装置５００との間の接続は、ＳＩＰに従って行われる。なお、回線の切断は、無線端末１００、緊急発信先装置５００のいずれからも行うことができるが、ここでは、緊急発信先装置５００から通話を終了する場合を例にして説明する。
＜無線端末１００と中継装置３００との間の接続＞
まず、無線端末１００と中継装置３００との間の接続シーケンスについて説明する。
【００５７】
無線端末１００は、中継装置３００に緊急発信要求信号９０１を送信する。
緊急発信要求信号を受信した中継装置３００は、無線端末１００に接続要求信号９０２を送信する。
接続要求信号９０２を受信した無線端末１００は、中継装置３００に接続許可信号９０３を送信する。
【００５８】
中継装置３００が接続許可信号９０３を受信すると、無線端末１００と中継装置３００の間の接続が確立する。
＜中継装置３００と緊急発信先装置５００との間の接続＞
次に、中継装置３００と緊急発信先装置５００との間の接続シーケンスについて説明する。
【００５９】
中継装置３００は、緊急発信先装置５００にセッションを開始する旨のＩＮＶＩＴＥ信号９０４を送信する。
ＩＮＶＩＴＥ信号９０４を受信した緊急発信先装置５００は、中継装置３００にＩＮＶＩＴＥ信号が受信され処理中であることを示すＴｒｙｉｎｇ信号９０５及びＲｉｎｇｉｎｇ信号９０６を送信する。
【００６０】
緊急発信先装置５００は、中継装置３００にＩＮＶＩＴＥ信号９０４が正常に処理された旨を示すＯＫ信号９０７を送信する。
緊急発信先装置５００は、中継装置３００にセッションが確立された旨を示すＡＣＫ信号９０８を送信する。
中継装置３００がＡＣＫ信号９０８を受信すると、中継装置３００と緊急発信先装置５００の間の接続が確立する。
＜音声データの送受信＞
次に、音声データの送受信について説明する。
【００６１】
中継装置３００は、無線端末１００に中継装置３００と緊急発信先装置５００の間の接続が確立した旨の接続完了信号９０９を送信する。
接続完了信号９０９を受信した無線端末及び緊急発信先装置５００は中継装置３００を経由して、通話９１０、９１１が可能となる。
＜セッションの切断＞
次に、セッションの切断について説明する。
【００６２】
緊急発信先装置５００は、中継装置３００との間のセッションを終了する旨のＢＹＥ信号９１２を中継装置３００に送信する。
ＢＹＥ信号を受信した中継装置３００は、無線端末１００に無線端末１００と中継装置３００の間の接続を解除する旨の切断要求信号９１３を送信する。
切断要求信号９１３を受信した無線端末１００は、中継装置３００との間の接続解除を認める旨の切断許可信号９１４を送信する。中継装置３００が切断許可信号９１４を受信すると無線端末１００と中継装置３００の間の接続が解除される。
【００６３】
切断許可信号９１４を受信した中継装置３００は、緊急発信先装置５００にＢＹＥ信号９１２が成功したことを示すＯＫ信号９１５を送信する。緊急発信先装置５００が、ＯＫ信号９１５を受信すると中継装置３００と緊急発信先装置５００の間の接続が解除される。
＜実施形態２＞
＜システムの構成＞
以下、実施形態２に係る音声通話システムの構成について説明する。
【００６４】
実施形態１では、緊急発信要求を行う無線端末１００は、アドホックモードで加入者認証を受けずに中継装置３００へ接続し、緊急発信を行うことで音声通話を可能とするシステムについて説明した。
実施形態２では、詳細は後述するが、無線端末１５０は、まず、インフラストラクチャーモードで加入者認証を受けて、中継装置３５０へ接続することを試みる。
【００６５】
中継装置３５０において、加入者認証を受けた結果、無線端末１５０は、接続サービス加入者の無線端末と認められず、インフラストラクチャーモードでの接続が認められなかった場合に、通信モードをアドホックモードに切り替える。これにより、インフラストラクチャーモードでの接続が認められなかった場合に、無線端末１５０は、加入者認証を受けずにアドホックモードで中継装置３５０へ接続し、緊急発信を行うことで、音声通話を可能とするシステムについて説明する。また、無線端末１５０がアドホックモードに切り替えて、中継装置３５０へ接続し、緊急発信をしている際に、無線端末１５０の近傍に存在する無線端末２００が所定の操作を行うことで、無線端末１５０と緊急発信先装置５００との間の緊急発信に係る音声データを受信するシステムについても説明する。
【００６６】
実施形態２に係る音声通話システムは図７に示すように、無線端末１５０、２００、中継装置３５０、緊急発信先装置５００、ＩＰ網６００から構成される。
無線端末１５０は、ＶｏＩＰによる接続機能及び無線ＬＡＮ接続機能を有する携帯電話機であり、緊急発信を行うユーザが使用するものである。詳細は後述するが、インフラストラクチャーモードで中継装置３５０との接続を試み、加入者認証を受けた結果、インフラストラクチャーモードで接続ができた場合には、中継装置３５０を経由して、ＩＰ網６００への接続が可能になるため、直接、緊急発信先装置５００と接続して緊急発信を行う。一方、インフラストラクチャーモードで接続ができない場合には、アドホックモードに切り替えて加入者認証を受けずに中継装置３５０と接続し、実施形態１同様に緊急発信を行う。
【００６７】
無線端末２００は、中継装置３５０における接続サービス加入者の携帯電話機であり、無線端末１５０と同様の構成を有する。無線端末２００は、加入者認証を受けた結果、中継装置３５０とインフラストラクチャーモードで接続することができるため、中継装置３５０を通じて、ＩＰ網６００と接続可能であり、緊急発信先装置５００とも直接、接続可能である。
【００６８】
詳細は後述するが、所定の操作を行うことにより、中継装置３５０とアドホックモードで接続する無線端末と緊急発信先装置５００との間で送受信される緊急発信に係る音声データを受信することができる。
システムの運用段階においては、中継装置の電波の届く範囲に複数の無線端末が存在する場合があり、無線端末１５０、２００はこのような無線端末の一つである。
【００６９】
中継装置３５０は、加入者認証機能、即ち、接続を試みる無線端末１５０、２００が、接続サービス加入者の無線端末かを判断する機能を有する、一般的には、アクセスポイントと呼ばれるものである。
接続サービス加入者以外の無線端末に対しては、実施形態１で説明した無線端末と緊急発信先装置５００との間で送受信される緊急発信に係る音声データの中継を行い、接続サービス加入者の無線端末に対しては、一般的なアクセスポイントとして、緊急発信先装置５００以外との間でなされるデータの中継をも行う。また、無線端末２００から所定の操作がなされると、無線端末１５０と緊急発信先装置５００との間で送受信される緊急発信に係る音声データを送信する。
【００７０】
緊急発信先装置５００、ＩＰ網６００は、実施形態１と同様であるため、説明は省略する。
＜無線端末１５０の構成＞
以下、無線端末１５０の構成について説明する。
無線端末１５０は、図７に示すとおり、接続要求検出部１０５、応答部１０７、マイク１０８、スピーカ１１０、操作部１５１、識別情報記憶部１５２、緊急発信要求部１５３、通信部１５４、表示部１５５、音声データ送信部１５６、ビーコン信号検出部１５７、通信方式設定部１５８、認証要求部１５９から構成される。なお、下記、緊急発信要求部１５３、音声データ送信部１５６、ビーコン信号検出部１５７、通信方式設定部１５８、認証要求部１５９の各機能は、メモリに記憶されているプログラムをＣＰＵに実行させることにより実現される。プログラム間でのデータの授受を本実施形態では、信号の授受として表現している。
【００７１】
以下、実施形態１と相違する部分について説明する。
操作部１５１は、操作部１０１と同様、いわゆるテンキー等のキー群やボタン群を含むものであり、ユーザが所定の操作を行う場合に使用される。ボタン群の中には、操作部１０１に含まれる緊急発信ボタン、切断ボタンの他、緊急通話の受信を要求する緊急通話受信ボタンを有する。
【００７２】
詳細は後述するが、表示部１５５に所定の表示がなされている場合に、ユーザにより緊急通話受信ボタンを押下されると、緊急通話受信ボタンに対応した受信指示信号を生成し、認証要求部１５９に伝達する。
識別情報記憶部１５２は、識別情報記憶部１０２と同様の不揮発性のメモリである。識別情報記憶部１０２に記憶される無線端末１５０の識別情報に加え、無線端末１５０のユーザが加入する接続サービスのユーザ識別情報、パスワードを記憶するものであり、ユーザ識別情報、パスワードは、ユーザが初めて加入中継装置に接続する際に行う入力により、識別情報記憶部１５２に記憶される。
【００７３】
緊急発信要求部１５３は、操作部１５１から緊急発信指示信号が伝達されると、まず、中継装置３５０とインフラストラクチャーモードで接続を試みるために、通信方式設定部１５８に、通信モード設定を指示する指示受信信号を伝達する機能を有する。
加入者認証を受けた結果、インフラストラクチャーモードでの接続ができず、アドホックモードに通信モードを変更した旨の設定完了信号が、通信方式設定部１５８から伝達された場合には緊急発進要求部１０３と同様、緊急発信要求信号を生成し、通信部１５４を通じて、中継装置３５０に送信する機能を有する。
【００７４】
通信部１５４は、通信方式設定部１１２から伝達される信号に従い、インフラストラクチャーモードとアドホックモードとを相互に切り替えて稼動し、中継装置３５０との間でのデータの送受信を行い、送受信に際し、電気信号と無線ＬＡＮ用の電波信号との相互変換を行う回路である。
表示部１５５は、液晶ディスプレイ（ＬＣＤ：Liquid Crystal Display）を含み、ビーコン信号検出部１５７から後述する通知情報受信信号が伝達された場合に、他の無線端末から緊急発信要求がなされた旨の緊急表示を行う。
【００７５】
音声データ送信部１５６は、図３に示すデータを記憶する不揮発性のメモリとＶｏＩＰによる接続機能を有し、マイク１０８から入力された音声データを送信する機能を有する。無線端末１５０が、インフラストラクチャーモードで中継装置３５０と接続しているときは、緊急発信先装置５００にＳＩＰを用いて接続し、マイク１０８から入力された音声データを緊急発信先装置５００に送信する。
【００７６】
一方、無線端末１５０が、中継装置３５０とインフラストラクチャーモードで接続できず、アドホックモードで接続する場合には、音声データ送信部１０９と同様に、マイク１０８から入力された音声データを中継装置３０５に送信する。
ビーコン信号検出部１５７は、中継装置３５０から後述するビーコン信号を受信する機能を有する。ビーコン信号には、中継装置３５０に接続するための情報となる中継装置３５０のＳＳＩＤを示す情報が含まれており、これを用いて、中継装置３５０に接続するため、当該ＳＳＩＤを示す情報を認証要求部１５９に伝達する。また、ビーコン信号に、後述する通知情報が含まれていたときは、表示部１５５に、通知情報を受信した旨の信号である通知情報受信信号を伝達する。
【００７７】
通信方式設定部１５８は、緊急発信要求部から伝達された信号及び中継装置３５０から受信した信号に従い、通信部１５４の通信モードをインフラストラクチャーモード又はアドホックモードに変更させる機能を有する。また、通信部１５４から通信モードを変更した旨の信号が伝達されると、その信号の内容に応じて、緊急発信要求部１５３、認証要求部１５９に対して所定の指示を行う信号を送信する。
【００７８】
認証要求部１５９は、通信方式設定部１５８から伝達された信号に従い、識別情報記憶部１５２に記憶されているユーザ識別情報、パスワードを読み出して、これを含む認証要求信号を生成して中継装置３０５に送信し、インフラストラクチャーモードでの接続を試みる機能を有する。
また、操作部１５１から伝達された信号に従って無線端末１５０の近傍に存在する無線端末と緊急発信先装置５００との間で送受信される緊急発信要求に係る音声データの送信を指示する旨の送信指示信号を生成し、中継装置３５０に送信する機能を有する。
中継装置３０５への信号の送信には、ビーコン信号検出部１５７から伝達された中継装置３５０のＳＳＩＤを示す情報が使用される。
＜中継装置３５０の構成＞
次に中継装置３５０について説明する。
【００７９】
中継装置３５０は、図７に示すとおり、第１通信部３０１、緊急発信要求部３０２、宛先特定部３０３、接続要求部３０５、音声データ中継部３５１、ブロードキャスト送信部３５２、ビーコン信号検出部３５３、第２通信部３５４、認証部３５５から構成される。図中の第１通信部３０１は、実施形態１の通信部３０１と同一のものであるが、実施形態２における第２通信部と区別して説明するために、名称を変更している。なお、下記、ビーコン信号検出部３０７、認証部３５５、ブロードキャスト送信部３５２の各機能は、メモリに記憶されているプログラムをＣＰＵに実行させることにより実現される。プログラム間でのデータの授受を本実施形態では、信号の授受として表現している。
【００８０】
以下、実施形態１と相違する部分について説明する。
音声データ中継部３５１は、音声データ中継部３０４の機能に加え、無線端末１５０から緊急発信要求に係る音声データを受信すると、ブロードキャスト送信部３５２に対し、音声データを受信した旨の音声データ受信信号を伝達し、ブロードキャスト送信部３５２から音声データを受信する旨の信号を受信すると、ブロードキャスト送信部３５２に音声データを送信する機能を有する。
【００８１】
ブロードキャスト送信部３５２は、音声データ中継部３５１から受信した信号に従い、ビーコン信号送信部３５３に、緊急発信要求がなされた旨の通知情報の付加を指示する通知要求信号を伝達する。
また、ブロードキャスト送信部３５２は、第２通信部３５４を通じて無線端末２００から送信指示信号を受信した場合に、音声データ中継部３５１に、音声データを送信する旨の送信信号を伝達し、音声データ中継部３５１から音声データが伝達された場合に、第２通信部３５４を通じて、無線端末２００に音声データを送信する機能を有する。
【００８２】
ビーコン信号送信部３５３は、中継装置３５０の第２通信部３５４を通じて、ビーコン信号を定期的にブロードキャストする機能を有する。ビーコン信号の構成の詳細は後述するが、ビーコン信号には、中継装置３５０のＳＳＩＤを示す情報が含まれる。中継装置３５０の電波の届く範囲にある無線端末１５０、２００は、ビーコン信号を受信すると、ビーコン信号に含まれるＳＳＩＤを示す情報を利用して、中継装置３５０へ接続を試みることができる。ビーコン信号及びＳＳＩＤを示す情報はＩＥＥＥ  ８０２．１１ｂ規格に準拠したものである。
【００８３】
また、ブロードキャスト送信部３５２から、通知要求信号を受信した場合に、無線端末１５０から緊急発信要求がなされた旨を示す情報である通知情報を付加したビーコン信号を生成し、第２通信部３５４を通じて、ビーコン信号をブロードキャストする機能を有する。
第２通信部３５４は、インフラストラクチャーモードで稼動し、無線端末１５０、２００との間でデータの送受信を行い、送受信に際し、電気信号と無線ＬＡＮ用電波信号の相互変換を行う回路である。
【００８４】
認証部３５５は、第２通信部３５４を通じて無線端末１５０から認証要求信号を受信した場合に、認証要求信号に含まれる接続サービスにおけるユーザ識別情報、パスワードから、接続サービス加入者の無線端末かを判断し、加入者の無線端末であった場合には接続を許可する旨の接続許可信号を、加入者の無線端末でなかった場合には接続を拒否する旨の接続拒否信号を、第２通信部３５４を通じて、無線端末１５０に送信する機能を有する。
＜データ＞
実施形態１で説明したデータに加え、上記、音声通話システムで使用するデータについて説明する。
【００８５】
図８は、中継装置３５０のビーコン信号送信部３５３が生成して送信するビーコン信号のフレーム構造を示す図である。ビーコン信号７１０は、無線ＬＡＮの規格であるＩＥＥＥ  ８０２．１１ｂの規格に準拠している。ビーコン信号７１０にはＩＥＥＥ  ８０２．１１ｂ規格上、ユーザが任意に設定可能となっているベンダー領域７１１が含まれ、ベンダー領域７１１には、さらに通知情報が設定される領域７１２が含まれる。
【００８６】
領域７１２に設定される通知情報は、無線端末から緊急発信要求がなされたか否かを示すビット列であり、緊急発信要求がなされていない状態では、０が設定される。無線端末から緊急発信要求がなされ、音声データが送信されると、これを受信した音声データ中継部３５１は、ブロードキャスト送信部３５２に、音声データ受信信号を伝達し、ブロードキャスト送信部３５２は、通知要求信号をビーコン信号送信部３５３に伝達する。通知要求信号を受信したビーコン信号送信部３５３は、領域７１２のビット列を１に設定する。これにより、領域７１２には、１が設定され、緊急発信要求がなされたことを示すこととなる。
【００８７】
なお、ベンダー領域以外の各領域については、ＩＥＥＥ  ８０２．１１ｂ規格に準拠したものであるので、説明は省略する。
＜動作＞
以下、上記構成を備え、上述したデータを取り扱う音声通話システムにおける緊急発信に関する動作について説明する。
＜無線端末１５０の動作＞
まずは、無線端末１５０の動作を、図９を用いて説明する。
【００８８】
ビーコン信号検出部１５７は、通信部１５４を通じて、中継装置３５０から送信されたビーコン信号を受信し、ビーコン信号に含まれる中継装置３５０のＳＳＩＤを示す情報を認証要求部１５９に伝達する。
操作部１５１は、ユーザにより、緊急発信ボタンのうちの一つが押下されると、宛先指定情報を含む緊急発信指示信号を緊急発信要求部１５３に伝達する。
【００８９】
緊急発信要求部１５３は、通信方式設定部１５８に指示受信信号を伝達し、緊急発信指示信号に含まれる宛先指定情報を音声データ送信部１５６に伝達する。
通信方式設定部１５８は、緊急発信要求部１５３から指示受信信号が伝達されると、通信部１５４に、インフラストラクチャーモードに設定させる旨のインフラストラクチャーモード設定信号を伝達し、通信部１５４は、通信モードをインフラストラクチャーモードに設定して、稼動させ、通信方式設定部１５８に、設定が完了した旨のインフラストラクチャーモード設定完了信号を伝達する。
【００９０】
通信方式設定部１５８は、認証要求部１５９に、インフラストラクチャーモードに設定した旨の設定完了信号を伝達すると、認証要求部１５９は、識別情報記憶部１５２から接続サービスにおけるユーザ識別情報、パスワードを読み出し、認証要求信号を生成する。認証要求部１５９は、ビーコン信号検出部１５７から伝達された中継装置３５０のＳＳＩＤを示す情報を使用し、通信部１５４を通じて、生成した認証要求信号を、中継装置３５０に送信する（ステップＳ４１）。
【００９１】
中継装置から接続許可信号、又は、接続拒否信号が送信されると、通信部１５４は、これを受信し（ステップＳ４２）、接続拒否信号かどうかを判断する（ステップＳ４３）。接続拒否信号であった場合、通信部１５４は、通信方式設定部１５８に接続拒否信号を伝達する。一方、接続許可信号であった場合、通信部１５４は、音声データ送信部１５６に接続許可信号を伝達する。
【００９２】
接続拒否信号が伝達された通信方式設定部１５８は、通信部１５４にアドホックモードに設定する旨のアドホックモード設定信号を伝達する。通信部１５４は、通信モードを、アドホックモードに設定して、稼動させ、通信方式設定部１５８に、設定が完了した旨のアドホックモード設定完了信号を伝達する（ステップＳ４４）。
通信方式設定部１５８は、緊急発信要求部１５３に、アドホックモードに設定した旨の設定完了信号を伝達する。緊急発信要求部１５３は、識別情報記憶部１５２に記憶されている無線端末１５０の識別情報である電話番号、ＩＰアドレス、ＭＡＣアドレスと緊急発信指示信号から緊急発信要求信号を生成し、通信部１５４を通じて、ブロードキャストする。以降、実施形態１で述べたとおり緊急発信処理がなされる（ステップＳ４６）。
【００９３】
一方、接続許可信号が伝達された音声データ送信部１５６は、緊急発信要求部１５３から伝達された宛先指定情報より電話番号を特定し、当該電話番号を宛先とする緊急発信先装置５００に通信部１５４及び中継装置３５０を通じて、ＩＮＶＩＴＥ信号を送信する。音声データ送信部１５６は、中継装置３５０及び通信部１５４を通じて、緊急発信先装置５００から送信されたＴｒｙｉｎｇ信号及びＲｉｎｇｉｎｇ信号を受信し、また、ＯＫ信号を受信すると、音声データ送信部１５６は、通信部１５４及び中継装置３５０を通じて、緊急発信先装置５００にＡＣＫ信号を送信する。これにより、無線端末１５０と緊急発信先装置５００との間の接続が確立される。
【００９４】
無線端末１５０と緊急発信先装置５００との間の接続が確立されると、音声データ送信部１５６は、マイクから入力された音声データを、ＲＴＰを使用して通信部１５４及び中継装置３５０を通じて、緊急発信先装置５００に送信する（ステップＳ４５）。
また、通信部１５４は、中継装置３５０を通じて、緊急発信先装置５００から音声データを受信すると、これをスピーカ１１０に伝達する（ステップＳ４５）。なお、回線の切断については、実施形態１と同様の手順によりなされる。
＜中継装置３５０の動作＞
次に、中継装置３５０の動作を、図９を用いて説明する。
【００９５】
まずは、無線端末１５０との接続に関する動作について説明する。
ビーコン信号送信部３５３は、中継装置３５０のＳＳＩＤを示す情報を含むビーコン信号を、第２通信部３５４を通じて、ブロードキャストする。
ビーコン信号を受信した無線端末１５０が、ビーコン信号に含まれる無線端末１５０のＳＳＩＤを示す情報を使用し、中継装置３５０に認証要求信号を送信すると、認証部３５５は、第２通信部３５４を通じて、認証要求信号を検出する（ステップＳ５１）。
【００９６】
認証部３５５は、認証要求信号に含まれる接続サービスにおけるユーザ識別情報、パスワードを照合して、接続サービス加入者の無線端末かを判断する（ステップＳ５２）。その結果、加入者の無線端末であった場合には、接続許可信号を、第２通信部３５４を通じて、無線端末１５０に送信する（ステップＳ５３）。以降、第２通信部３５４は、無線端末１５０から緊急発信部５００に送信する音声データを中継する（ステップＳ５５）。
【００９７】
一方、加入者の無線端末でなかった場合には接続拒否信号を、第２通信部３５４を通じて、無線端末１５０に送信する（ステップＳ５４）。
緊急発信要求検出部３０２が、第１通信部３０１を通じて、無線端末１５０から送信された緊急発信要求信号を検出すると、以降、実施形態１で述べたとおり緊急発信中継処理がなされる（ステップＳ５６）。
【００９８】
次に、無線端末２００への緊急通報に係る音声データの送信に関する動作について図１０を用いて説明する。
実施形態１で説明した緊急発信中継処理の図４のステップＳ２７において、音声データ中継部３５１が無線端末１５０から音声データを受信する（ステップＳ６１）。
音声データを受信した音声データ中継部３５１が、ブロードキャスト送信部３５２に音声データ受信信号を伝達する。ブロードキャスト送信部３５２は、ビーコン信号送信部３５３に、通知要求信号を伝達する。ビーコン信号送信部３５３は、通知情報を付加したビーコン信号を生成し、第２通信部３５４を通じて、ビーコン信号をブロードキャストする（ステップＳ６２）。
【００９９】
ブロードキャスト送信部３５２は、第２通信部３５４を通じて、無線端末２００から送信指示信号を受信する（ステップＳ６３）。
ブロードキャスト送信部３５２は、音声データ送信部３０４に、送信信号を伝達し、音声データ送信部３０４から音声データが伝達されると、当該音声データを、無線端末２００に第２通信部３５４を通じて、送信する（ステップＳ６４）。音声データの送信は、無線端末１５０と中継装置３５０の間の回線及び中継装置３５０と緊急発信先５００との間の回線が切断されるまで、又は、無線端末２００の操作部１５１の切断ボタンがユーザにより押下されるまで行う。
＜無線端末２００の動作＞
次に、無線装置２００の動作を、図１０を用いて説明する。
【０１００】
ビーコン信号検出部１５７は、中継装置３５０から送信されたビーコン信号を、通信部１５４を通じて受信する。受信したビーコン信号に、通知情報が含まれていた場合には（ステップＳ７１）、表示部１５５に通知情報受信信号を伝達し、表示部１５５は、図１１の１００２に示すように、他の端末から緊急発信要求がなされた旨の表示を行う（ステップＳ７２）。
【０１０１】
操作部１５１は、ユーザにより緊急通話受信ボタンが押下されると（ステップＳ７３）、受信指示信号を認証要求部１５９に伝達し、認証要求部１５９は、通信部１５４を通じて、中継装置３５０に送信指示信号を送信する（ステップＳ７４）。
通信部１５４は、中継装置３５０から送信された、無線端末１５０と緊急発信先装置５００との間で送受信される音声データを受信すると（ステップＳ７５）、これをスピーカ１１０に伝達する。以上の音声データの受信を、無線端末１５０と中継装置３５０の間の回線及び中継装置３５０と緊急発信先５００との間の回線が切断されるまで、又は、無線端末２００の操作部１５１の切断ボタンがユーザにより押下されるまで行う。
＜補足＞
以上、本発明に係る音声通話システムについて実施形態に基づいて説明したが、以下のように変形することも可能であり、本発明は上述した実施形態で示した通りの音声通話システムに限られないことは勿論である。
（１）上述の実施形態では、無線端末１５０、２００として携帯電話機を例にして説明したが、無線ＬＡＮ接続機能を有するものであれば、ＰＨＳ（Personal Handyphone System）やＰＤＡ（Personal Digital Assistants）等であってもよい。
（２）上述の実施形態では、無線端末１５０の操作部１０１には、緊急発信先装置５００毎に設けられた緊急発信ボタンを有する場合を例にして説明したが、キー群から１１０番、１１９番など電話番号を直接入力してもよいし、無線端末１５０が有するメニューから選択してもよい。
（３）上述の実施形態では、緊急発信先装置５００の宛先指定情報及び無線端末１５０の識別情報は、緊急発信要求に含めて送信するとして説明したが、これらは、緊急発信要求とは別に送信することとしてもよい。
（４）上述の実施形態では、無線端末１５０の識別情報を緊急発信先装置５００に送付する場合を例にして説明したが、中継装置３００に記憶部を設け、そこに無線端末１５０の識別情報を所定期間記憶し、必要に応じて、緊急発信先装置５００から参照可能としてもよい。
（５）上述の実施形態では、緊急発信要求信号７００のフレーム構造を無線ＬＡＮの規格であるＩＥＥＥ  ８０２．１１ｂ規格に準拠するものとして説明したが、その他の無線ＬＡＮの規格であるＩＥＥＥ  ８０２．１１ａ、ｇに準拠するものとしてもよい。
（６）上述の実施形態では、無線端末１５０及び中継装置３００の位置情報は取り扱っていないが、これらの情報を緊急発信先装置５００に送付することとしてもよい。これにより、緊急連絡先５００において、より正確に事故等の場所を把握することができる。
（７）上述の実施形態では、図３に示す電話番号８０２は、説明上、「１１０」、「１１９」を使用したが、中継装置３００が設置された場所に応じて、管轄する警察、消防・救急等の電話番号（06−xxxx−xxxx）を採用することとしてもよい。
（８）上述の実施形態では、無線端末１５０が中継装置３００の電波の届く範囲内にあることを前提としているが、電波の届く範囲内にない場合には、まず、無線端末１５０の近くにあるアドホックモードで稼動する第１の無線端末に緊急発信要求信号を送信し、第１の無線端末の近くにあるアドホックモードで稼動する第２の無線端末に、無線端末１５０から受信した緊急発信要求を送信する処理を第ｎの無線端末が中継装置３００の電波の届く範囲になるまで繰り返していくことによって、緊急発信要求信号を送信することとしてもよい。これにより、無線端末１５０から直接、中継装置３００に接続できない場合において、緊急発信要求が可能になる。
（９）上述の実施形態では、中継装置が複数存在する場合において、無線端末１５０の接続要求検出部１０５が最初に検出した接続要求以外は、無視するとしているが、電波の強度が閾値以上であり、かつ無線端末１５０の接続要求検出部１０５が最初に検出した接続要求の送信元である中継装置に対して、無線端末１５０の応答部１０７が接続を許可する応答を送信するとしてもよい。
【産業上の利用可能性】
【０１０２】
本発明に係る音声通話システムは、音声データの送受信を行うために利用されるものである。
【図面の簡単な説明】
【０１０３】
【図１】実施形態１にかかる音声通話システムの構成図である。
【図２】無線端末１００が送信する緊急発信要求信号のフレーム構成を示す図である。
【図３】電話番号対応表のデータ構造及び内容例を示す図である。
【図４】実施形態１の処理手順を示すフローチャートである。
【図５】実施形態１にかかる音声通話システムのシーケンス図である。
【図６】中継装置３００からの接続要求信号を検出できない場合の無線端末１００の画面イメージを示す図である。
【図７】実施形態２にかかる音声通話システムの構成図である。
【図８】中継装置３５０が送信するビーコン信号のフレーム構成を示す図である。
【図９】実施形態２における無線端末１５０と中継装置３５０の接続処理手順を示すフローチャートである。
【図１０】実施形態２における中継装置３５０から無線端末１５０への緊急発信に係る音声データの送信手順を示すフローチャートである。
【図１１】無線端末２００における緊急表示画面イメージを示す図である。
【符号の説明】
【０１０４】
１００、１５０、２００    無線端末
１０１、１５１    操作部
１０２、１５２    識別情報記憶部
１０３、１５３    緊急発信要求部
１０４、１５４    通信部
１０５    接続要求検出部
１０６、１５５    表示部
１０７    応答部
１０８    マイク
１０９    音声データ送信部
１１０    スピーカ
１５６    音声データ送信部
１５７    ビーコン信号検出部
１５８    通信方式設定部
１５９    認証要求部
３００、３５０、４００    中継装置
３０１    通信部（第１通信部）
３０２    緊急発信要求検出部
３０３    宛先特定部
３０４、３５１    音声データ中継部
３０５    接続要求部
３５２    ブロードキャスト送信部
３５３    ビーコン信号送信部
３５４    第２通信部
３５５    認証部
５００    緊急発信先装置
５０１    警察
５０２    消防・救急
６００    ＩＰ網
１０００  携帯電話機
１００１  液晶ディスプレイ
１００２  緊急表示
【図１】
2008060757.tif 000003
【図２】
2008060757.tif 000004
【図３】
2008060757.tif 000005
【図４】
2008060757.tif 000006
【図５】
2008060757.tif 000007
【図６】
2008060757.tif 000008
【図７】
2008060757.tif 000009
【図８】
2008060757.tif 000010
【図９】
2008060757.tif 000011
【図１０】
2008060757.tif 000012
【図１１】
2008060757.tif 000013